(57)【要約】【課題】外径の異なる油圧ホースを確実に固定することができるホース挟持機構の提供。【解決手段】ホース挟持機構５３は、ホース固定部１９、カム４８、偏芯軸１６、及び固定ブロック２８を備えている。油圧ホースが挿入されるホース収容室１８及びカム収容室２３がホース固定部１９に形成されている。偏芯軸１６は、両端部３７,３８に対して偏芯された中央部３９を有している。カム４８は、カム収容室２３内で偏芯軸１６の中央部３９に回転可能に支持されている。固定ブロック２８は、ホース収容室１８からカム収容室２３側へ弾性付勢されると共にカム４８の外縁４９に当接しており、カム４８の回転に伴ってホース収容室１８側へスライドし、ホース収容室１８を区画する壁面と協働して油圧ホースを挟持する。偏芯軸１６は、両端部３７,３８の中心を回転中心としてホース固定部１９に回転可能に支持されている。【選択図】図２
2014039987.tif 000002
【特許請求の範囲】
【請求項１】
油圧ホースの開口端にコネクタを圧入する圧入治具に採用されるホース挟持機構であって、
油圧ホースが長手方向に挿入されるホース収容室及び当該ホース収容室に対して隔壁を挟んで上記長手方向に直交する方向に隣接するカム収容室が形成されたホース固定部と、
上記長手方向に沿う軸方向の両端部及び当該両端部に対して偏芯された中央部を有し、上記両端部が上記ホース固定部に支持された状態で上記中央部が上記カム収容室に配置される偏芯軸と、
上記カム収容室内で上記偏芯軸の中央部に回転可能に支持され、回転中心から径方向外縁までの距離が周方向に沿って変化するカムと、
上記ホース収容室から上記カム収容室側へ弾性付勢されると共に上記カムの径方向外縁に当接しており、上記カムの回転に伴って当該カムによって上記ホース収容室側へスライドし、上記ホース収容室を区画する壁面と協働して上記油圧ホースを挟持する固定ブロックと、を備え、
上記偏芯軸は、上記両端部の中心を回転中心として上記ホース固定部に回転可能に支持されているホース挟持機構。
【請求項２】
上記中央部を挟んで対向配置されており、上記固定ブロックのスライドを上記中央部に沿ってガイドするガイド部が上記固定ブロックに設けられている請求項１に記載のホース挟持機構。
【請求項３】
一対の上記カムが所定の間隔をあけて上記偏芯軸に支持され、各カムを連結すると共に回動させるレバーを構成する把手が設けられており、
上記ガイド部は、上記一対のカムの間に配設されている請求項２に記載のホース挟持機構。
【請求項４】
上記両端部のうちの少なくとも一方の外径が、上記中央部の外径よりも小さい請求項１から３のいずれかに記載のホース挟持機構。
【請求項５】
上記偏芯軸の少なくとも一方の端面が上記ホース固定部から露出されており、回転力を伝達する工具が挿入される溝又は窪みが上記端面に形成されている請求項１から４のいずれかに記載のホース挟持機構。
【請求項６】
上記油圧ホースを挟持する際に上記油圧ホースを上記長手方向に沿って保持する溝が、上記固定ブロックの一端側に形成されている請求項１から５のいずれかに記載のホース挟持機構。
【請求項７】
上記両端部のうちの少なくとも一方の外周面に環状弾性部材が巻回されており、
上記環状弾性部材は、上記外周面と上記両端部が挿入された軸穴の内周面とに圧接されている請求項１から６のいずれかに記載のホース挟持機構。
【発明の詳細な説明】
【技術分野】
【０００１】
この発明は、自転車用油圧式ディスクブレーキに採用される油圧ホースにコネクタを圧入する治具に使用されるホース挟持機構の構造に関するものである。
【背景技術】
【０００２】
マウンテンバイク等の高性能自転車では、油圧式ディスクブレーキが採用されることがある。このブレーキでは、運転者がブレーキレバーを握った力に応じた圧力（油圧）によってブレーキキャリパーが駆動され、制動力が発揮される。この油圧の伝達は、オイルが充填された油圧ホースを介して行われる。また、油圧ホースの端部からのオイル漏れが防止されるために、油圧ホールの端部にコネクタが取り付けられ、このコネクタを介してオイルがブレーキキャリパー側に供給される。
【０００３】
一般に、上記コネクタは油圧ホースの端部に圧入される。たとえば油圧ホースが万力によって挟持された状態で、コネクタが油圧ホースの端部にハンマーによって打ち込まれる。また、他の作業では、油圧ホースが所定の工具に固定され、当該工具に螺合されたネジが回転されることによって、当該ネジに装着されたコネクタが当該ネジの推力により油圧ホースに押し込まれる（非特許文献１）。
【先行技術文献】
【非特許文献】
【０００４】
【非特許文献１】Ｊａｇｗｉｒｅ社ホームページ    インターネット＜URL:http://jagwireusa.com/index.php/products/v/Needle_Driver＞
【発明の概要】
【発明が解決しようとする課題】
【０００５】
上述した万力を使用して油圧ホースを固定する作業は、細かく且つ煩雑であった。また、非特許文献１に記載された工具は、工具下半部のレバーが回動されることによりホース固定用のブロックが移動し、ブロックと工具本体との間で油圧ホースを挟持する構成となっている。このような工具では、油圧ホースに対する挟持力を調整することができなかった。そのため、たとえば工具が対応する外径よりも大きい外径の油圧ホースが使用された場合、油圧ホースが過度に強い力で挟持されることで、油圧ホースの表面が損傷を受けるおそれがあった。一方、工具が対応する外径よりも小さい外径の油圧ホースが使用された場合、油圧ホースが十分な挟持力で挟持されないため、コネクタを圧入することが困難となる。
【０００６】
本発明はかかる背景のもとになされたものであって、その目的は、たとえば前述のような圧入治具に採用される機構であって、外径の異なる油圧ホースを確実に固定するホース挟持機構を提供することである。
【課題を解決するための手段】
【０００７】
(1)  本発明は、油圧ホースの開口端にコネクタを圧入する圧入治具に採用されるホース挟持機構であって、油圧ホースが長手方向に挿入されるホース収容室及び当該ホース収容室に対して隔壁を挟んで上記長手方向に直交する方向に隣接するカム収容室が形成されたホース固定部と、上記長手方向に沿う軸方向の両端部及び当該両端部に対して偏芯された中央部を有し、上記両端部が上記ホース固定部に支持された状態で上記中央部が上記カム収容室に配置される偏芯軸と、上記カム収容室内で上記偏芯軸の中央部に回転可能に支持され、回転中心から径方向外縁までの距離が周方向に沿って変化するカムと、上記ホース収容室から上記カム収容室側へ弾性付勢されると共に上記カムの径方向外縁に当接しており、上記カムの回転に伴って当該カムによって上記ホース収容室側へスライドし、上記ホース収容室を区画する壁面と協働して上記油圧ホースを挟持する固定ブロックと、を備えている。上記偏芯軸は、上記両端部の中心を回転中心として上記ホース固定部に回転可能に支持されている。
【０００８】
この構成によれば、カムの回転によって固定ブロックがホース収容室側へスライドし、ホース収容室を区画する壁面と協働して油圧ホースを挟持する。また、偏芯軸は、両端部に対して中央部が偏芯されているため、偏芯軸が両端部を基準に回転されることで、ホース固定部に対する中央部の中心位置が変化する。これにより、中央部に支持されたカムの位置、及びカムに位置決めされた固定ブロックの位置も変化する。つまり、油圧ホースを挟持する際の固定ブロックの位置が変化することで、油圧ホースに対する固定ブロックの挟持力が変化する。ユーザは、偏芯軸を回転させることで、油圧ホースの締め代を調整し、油圧ホースに対する固定ブロックの挟持力を調整することができる。
【０００９】
(2)  上記中央部を挟んで対向配置されており、上記固定ブロックのスライドを上記中央部に沿ってガイドするガイド部が上記固定ブロックに設けられていてもよい。
【００１０】
この構成によれば、固定ブロックのぐらつきが偏芯軸の中央部によって抑制される。
【００１１】
(3)  一対の上記カムが所定の間隔をあけて上記偏芯軸に支持され、各カムを連結すると共に回動させるレバーを構成する把手が設けられており、上記ガイド部は、上記一対のカムの間に配設されていてもよい。
【００１２】
この構成によれば、ユーザはレバー操作によってカムを回転させることができるため、油圧ホースの固定が容易に行われる。また、ガイド部が一対のカムの間に配設されることで、固定ブロックのぐらつきをさらに抑制することができる。
【００１３】
(4)  上記両端部のうちの少なくとも一方の外径が、上記中央部の外径よりも小さくてもよい。
【００１４】
この構成によれば、圧入治具の製造時に、両端部のうち外径が中央部より小さな一方がカムに挿通される。両端部一方の外径が中央部の外径より小さいため、カムの軸穴の内径を中央部の外径に対応させても、カムの軸穴に偏芯軸を通すことができる。カムの軸穴の内径を中央部の外径に対応させることで、偏芯軸に対するカムのぐらつきが抑制される。
【００１５】
(5)  上記偏芯軸の少なくとも一方の端面が上記ホース固定部から露出されており、回転力を伝達する工具が挿入される溝又は窪みが上記端面に形成されていてもよい。
【００１６】
この構成によれば、ユーザは、工具によって偏芯軸を容易に回転させることができる。
【００１７】
(6)  上記油圧ホースを挟持する際に上記油圧ホースを上記長手方向に沿って保持する溝が、上記固定ブロックの一端側に形成されていてもよい。
【００１８】
この構成によれば、油圧ホースを挟持する際に油圧ホースがホース収容室から外れてしまうことが防止される。
【００１９】
(7)  上記両端部のうちの少なくとも一方の外周面に環状弾性部材が巻回されており、
上記環状弾性部材は、上記外周面と上記両端部が挿入された軸穴の内周面とに圧接されていてもよい。
【００２０】
この構成によれば、環状弾性部材によって、ホース固定部と偏芯軸との間に回転抵抗が生じる。これにより、偏芯軸がユーザの意に反して回転し、油圧ホースに対する挟持力が変化することが防止される
【発明の効果】
【００２１】
本発明に係るホース挟持機構は、外径の異なる油圧ホースを確実に固定することができる。
【図面の簡単な説明】
【００２２】
【図１】図１は、本発明の実施形態に係るホース挟持機構５３が使用された圧入治具１０の斜視図である。
【図２】図２は、圧入治具１０の斜視図であって、押込レバー１２及びカムストッパ１３が図１の状態から回動された状態を示している。
【図３】図３は、図１及び図２と異なる角度から見た圧入治具１０の斜視図であって、カムストッパ１３が図１の状態から外向きへ開かれた状態を示している。
【図４】図４は、押込レバー１２及びカムストッパ１３が図１の状態にあるときの圧入治具１０の底面図である。（Ａ）と（Ｂ）の間で、偏芯軸１６の回転位相が９０°異なっている。
【図５】図５は、押込レバー１２及びカムストッパ１３が図３の状態にあるときの圧入治具１０の底面図である。
【図６】図６は、圧入治具１０の使用方法を説明するための動作説明図である。
【図７】図７は、保持器１５にコネクタをセットする様子を示した斜視図である。
【図８】図８は、本体ブロック１０の正面図である。
【図９】図９は、押込レバー１２の正面図である。
【図１０】図１０は、偏芯軸１６の正面図である。
【図１１】図１１は、固定ブロック２８の正面図である。
【図１２】図１２は、固定ブロック２８の右側面図である。
【図１３】図１３は、カムストッパ１３の正面図である。
【発明を実施するための形態】
【００２３】
以下、本発明の好ましい実施形態が、適宜図面が参照されながら説明される。なお、本実施の形態は、本発明に係る圧入治具の一態様にすぎず、本発明の要旨を変更しない範囲で実施態様が変更されてもよいことは言うまでもない。なお、各図に示される上下方向７、左右方向８、及び前後方向９は、各部材が本体ブロック１１に組みつけられた図１の状態を前提としている。
【００２４】
［圧入治具１０の概要］
【００２５】
図１は、本発明の一実施形態に係るホース挟持機構５３が採用された圧入治具１０の外観斜視図である。図１に示されるように、圧入治具１０は、本体ブロック１１に、押込レバー１２及びホース挟持機構５３の一部を為すカムストッパ１３が連結されて構成されている。この圧入治具１０は、後述されるように（図６参照）、自転車用油圧ブレーキに採用される油圧ホース５の端部にコネクターインサート（以下、「コネクタ」と称される。）４を圧入する作業を支援するものである。すなわち、作業者は、この圧入治具１０を手に取り、油圧ホース５及びコネクタ４を所定の位置に配置し、押込レバー１２を握ることによって簡単且つ正確にコネクタ４を油圧ホース５にセットすることができる。
【００２６】
図１が示すように、押込レバー１２は、Ｌ字状に構成されている。押込レバー１２は、本体ブロック１１の上端に、ヒンジ１４を介して回動自在に連結されている。図１に示される位置において、押込レバー１２は、本体ブロック１１の側縁に沿っている。この状態において、圧入治具１０の外形は概ね矩形を呈している。押込レバー１２は、図１の位置から時計回り、すなわち本体ブロック１１に対して開かれる向きへ回動可能である。回動後の押込レバー１２の位置が図２に示されている。なお、押込レバー１２は、図２の位置よりもさらに時計回りに回動することができる。
【００２７】
図３に示されるように、ホース挟持機構５３は、本体ブロック１１と、偏芯軸１６と、カムストッパ１３と、固定ブロック２８とを備えている。カムストッパ１３は、本体ブロック１１の下半部に連結されている。カムストッパ１３は、後述の偏芯軸１６（図３）を中心に回動することができる。偏芯軸１６は、上下方向７に沿って本体ブロック１１に挿入されている。カムストッパ１３は、図１に示される本体ブロック１１を覆う位置から、図２及び図３に示されるように本体ブロック１１に対して開かれた位置までの範囲を回動することができる。カムストッパ１３は、回動することで、油圧ホース５をホース収容室１８内で固定又は固定解除するものである。
【００２８】
図４に示されるように、カムストッパ１３が本体ブロック１１を覆う位置にあるとき、後に詳述される固定ブロック２８の押圧部４２がホース収容室１８内に位置している。また、図５に示されるように、カムストッパ１３が本体ブロック１１に対して開かれた位置にあるとき、押圧部４２は、ホース収容室１８より偏芯軸１６側へ退避している。このように、固定ブロック２８は、カムストッパ１３の回動に伴って左右方向８へ移動することができる。そして、押圧部４２は、図４に示される位置にあるときに、ホース収容室１８内に挿入された油圧ホース５を押圧する。このとき、押圧部４２は、油圧ホース５をホース収容室１８の内壁面との間で挟持して固定する。
【００２９】
ユーザは、図４，図５に示される偏芯軸１６の端面１７に形成されたドライバ溝４１にドライバ等の工具を挿入して偏芯軸１６を回転させることができる。これにより、油圧ホース５に対する押圧部４２の押圧力が調整される。図４（Ａ）と図４（Ｂ）とでは、偏芯軸１６の回転位相が互いに９０°異なっている。後に詳述されるが、偏芯軸１６の回転位相に応じて、固定ブロック２８の位置が左右方向８に僅かにずれる。すなわち、図４（Ｂ）における押圧部４２の先端の位置Ｐ２は、図４（Ａ）における押圧部４２の先端の位置Ｐ１よりも、偏芯軸１６側に位置している。このように、油圧ホース５を挟持する押圧部４２の先端の位置が変化することで、油圧ホース５の締め代が調整され、油圧ホース５に対する押圧部４２の挟持力が調整されるようになっている。
【００３０】
ユーザが油圧ホース５（図６）の開口端にコネクタ４（図６，図７）を圧入する手順について、図６が参照されつつ概説される。
【００３１】
ユーザは、押込レバー１２及びカムストッパ１３を本体ブロック１１に対して開かれた位置まで回動させ、保持器１５をスライドベース２９が形成する通路から上方へ抜き出す（図６（Ａ）の状態）。この保持器１５は、コネクタ４が油圧ホース５に圧入される際に当該コネクタ４を仮保持するものであって、コネクタ４を仮保持した保持器１５は、図６が示すように、本体ブロック１１の所定位置にセットされる。図７（Ａ）に示されるように、保持器１５の一端には、凹部３５が形成されている。凹部３５に沿ってＯ−リング３６が設けられている。ユーザは、コネクタ４の基端部６を凹部３５に嵌め込む。このとき、Ｏ−リング３６が弾性的に拡径され、それにより生じる緊迫力によってコネクタ４が弾性的に保持させる（図７（Ｂ）の状態）。図６が示すように、ユーザは、ホース収容室１８内に油圧ホース５を挿入する。その際、油圧ホース５は、開口端が空間２２に露出されて上方へ向けられる。油圧ホース５の開口端に対する他端側は、本体ブロック１１の下端から下方へ延出される（図６（Ｂ）の状態）。ユーザは、カムストッパ１３を本体ブロック１１に対して閉じられた位置（図１が示す位置）まで回動させる。油圧ホース５は、ホース収容室１８の内壁面と固定ブロック２８の押圧部４２との間に挟み込まれる。
【００３２】
ユーザは、コネクタ４と一体となった保持器１５を本体ブロック１１のスライドベース２９（後に詳述）へ挿入する（図６（Ｃ）の状態）。その際、油圧ホース５の開口端とコネクタ４とが位置合わせされる。また、保持器１５の他端（上端）側は、スライドベース２９から上方に露出される。ユーザは、押込レバー１２を再び反時計回りへ回動させる。押込レバー１２は、保持器１５の上端と当接する（図５（Ｄ）の状態）。ユーザがレバー１２を本体ブロック１１と共に握り込むことで、レバー１２がさらに反時計回りへ回動する。これにより、保持器１５がスライドベース２９に沿って下方へスライドされ、コネクタ４が油圧ホース５の開口端に押し込まれる（図６（Ｅ）の状態）。
【００３３】
以下、圧入治具１０を構成する各部材がより詳細に説明される。
【００３４】
［本体ブロック１１］
【００３５】
図１〜図３に示される本体ブロック１１は、樹脂によって成形されている。図１〜図３，図８に示されるように、本体ブロック１１は、ホース固定部１９、連続部２０、及びコネクタ保持部２１に大別される。コネクタ保持部２１は、ホース固定部１９の上方に位置している。コネクタ保持部２１とホース固定部１９との間に連続部２０が設けられている。連続部２０は、左右方向８の中央より一方側において、コネクタ保持部２１とホース固定部１９とを上下方向７に連続している。
【００３６】
本体ブロック１１は、上下方向７を長手方向として構成されており、連続部２０から左右方向８に外れた位置において、コネクタ保持部２１とホース固定部１９とが空間２２を介して上下方向７に対向されている。図３に示されるように、ホース固定部１９に、偏芯軸１６、カムストッパ１３、及び固定ブロック２８が組みつけられることにより、油圧ホース５を挟持して固定するホース挟持機構５３が構成されている。
【００３７】
図１〜図５に示されるように、ホース固定部１９に、油圧ホース５が固定されるホース収容室１８が形成されている。図２，図３に示されるように、ホース収容室１８は、上下方向７に沿って、ホース固定部１９の上端から下端まで連続している。ホース収容室１８に対して隔壁５４（図２，図３）を挟んだ左右方向８の一方にカム収容室２３（図２，図３）が形成されている。このカム収容室２３に、カムストッパ１３が取り付けられるようになっている。カム収容室２３を挟んで上側及び下側にそれぞれ上側軸受部２４及び下側軸受部２５（共に図１〜図３）が設けられている。これら上側軸受部２４及び下側軸受部２５に、上下方向７に沿った軸穴２６（図８）がそれぞれ開けられている。図４，図５，図８に示されるように、軸穴２６は、下側軸受部２５を上下方向７に貫通している。軸穴２６には、カムストッパ１３を回動自在に支持する偏芯軸１６（図３）が挿入されている。偏芯軸１６は、カム収容室２３を通って本体ブロック１１の軸穴２６に挿入され、カム収容室２３よりも上方が上側軸受部２４、下方が下側軸受部２５にそれぞれ支持されている。
【００３８】
図２に示されるように、隔壁５４を貫通してホース固定部１９にブロック収容室２７が形成されている。ブロック収容室２７は、ホース収容室１８からカム収容室２３へ通じている。図８に示されるように、ブロック収容室２７は、上下方向７を長手方向とした概ね矩形状を呈している。ブロック収容室２７の長手方向の寸法は、カム収容室２３の幅に対応している。ブロック収容室２７は、固定ブロック２８（図１〜図４）を収容し保持する。
【００３９】
図１〜図３に示されるように、コネクタ保持部２１のうち、空間２２の上方に、スライドベース２９が設けられている。スライドベース２９は、コネクタ保持部２１を上下方向７に貫通する中空の通路を有している。スライドベース２９は、通路の内側に保持器１５を保持し、当該保持器１５の上下方向７へのスライドを案内するものである。スライドベース２９は、空間２２を介してホース収容室１８と対向している。また、図８に示されるように、コネクタ保持部２１の上端に第１連結部３０が形成されている。この第１連結部３０は、上記連続部２０の上方に配置されている。第１連結部３０は、ヒンジ１４（図１〜図３）の一部をなすものである。
【００４０】
［押込レバー１２］
【００４１】
図１〜図３に示される押込レバー１２は、本体ブロック１１と同様に、樹脂により成形されている。本実施形態では、押込レバー１２は、短辺部３１と長辺部３２とを有し、これらが互いに交差して連続されたＬ字状に形成されている。短辺部３１の先端にヒンジ１４の一部をなす第２連結部３３（図９参照）が形成されている。コネクタ保持部２１の第１連結部３０（図８参照）と押込レバー１２の第２連結部３３（図９参照）とがピンなどで回動自在に連結されて、ヒンジ１４が構成されている。なお、押込レバー１２の両端部のうち、短辺部３１側の端部（第２連結部３３側）が本発明の基端部に相当し、長辺部３２側の端部が本発明の先端部に相当する。
【００４２】
押込レバー１２が図１の位置にあるとき、長辺部３２が、本体ブロック１１の側縁に沿って下方へ延びている。このとき、第１連結部３０は、コネクタ保持部２１の上側において、スライドベース２９（図１〜図３）の通路を少なくとも部分的に塞いでいる。後に詳述されるが、押込レバー１２が図２の位置から反時計回りに図１の位置まで回動されたとき、短辺部３１の押込部３４がスライドベース２９の通路から上方へ露出された保持器１５を下方へ押圧する。
【００４３】
［保持器１５］
【００４４】
図１〜図３，図７に示される保持器１５は、主として鉄鋼材料などによって構成されている。保持器１５は、概ね円柱形状である。保持器１５には、長手方向の一端側の端面に、凹状の窪みである凹部３５（図７参照）が形成されている。図７に示されるように、凹部３５の内壁面に沿って、Ｏ−リング３６が配設されている。Ｏ−リング３６は弾性的に伸長可能なゴム製のリングである。Ｏ−リング３６の内径はコネクタ４の基端側の外径よりも小さい。
【００４５】
図７に示されるように、保持器１５の外径は長手方向の中央付近で変化し、凹部３５が形成された一端側に対して他端側が拡径されている。また、他端側の外径は、スライドベース２９（図１〜図３参照）の通路の内径に対応している。これにより、保持器１５は、スライドベース２９の内壁面にガイドされて、スライドベース２９に対してぐらつくことなくスライドする。
【００４６】
図７（Ｂ）に示されるように、保持器１５の凹部３５に、コネクタ４が嵌めこまれる。ユーザは、コネクタ４の基端部６（図７（Ａ））を凹部３５に配設されたＯ−リング３６の内側に圧入する。その際、コネクタ４の圧入によって、Ｏ−リング３６が弾性的に拡径される。これによって生じるＯ−リング３６の緊迫力によって、コネクタ４は囲繞保持される。
【００４７】
［偏芯軸１６］
【００４８】
図３及び図１０に示されるように、偏芯軸１６は、本体ブロック１１の軸穴２６（図８参照）に挿入された状態で、カムストッパ１３（図１〜図３参照）を回動自在に支持するものである。偏芯軸１６は、主として鉄鋼材料によって構成されている。図１０に示されるように、偏芯軸１６は、長手方向の両端側に、大径部３７，３８をそれぞれ有している。大径部３７，３８の間に小径部３９が設けられている。大径部３７，３８の外径ａは、小径部３９の外径ｂよりも大きい。
【００４９】
図１０に示されるように、小径部３９の中心Ｎ２は、大径部３７，３８の中心Ｎ１に対して一方向へずれている。つまり、小径部３９は、大径部３７，３８に対して偏芯している。
【００５０】
図１０に示されるように、大径部３８の外周面には、周方向に沿ってリング溝４０が形成されている。リング溝４０に沿って、本体ブロック１１との摩擦係数を大きくするためのゴムリング（不図示、本発明の環状弾性部材の一例）が巻き掛けられている。このゴムリングは、大径部３８の外周面と軸穴２６の内周面とに圧接されている。
【００５１】
また、大径部３８の端面１７（図３〜図５及び図１０参照）に、ドライバ溝４１（図３〜図５参照、本発明の溝又は窪みの一例）が形成されている。ドライバ溝４１は、本体ブロック１１の軸穴２６（図８参照）に挿入された偏芯軸１６を、ドライバなどの工具によって回転させるためのものである。なお、各図の例では、ドライバ溝４１は、マイナスドライバを前提としているように描かれているが、ドライバ溝４１の形状はこれに限定されるものではない。
【００５２】
偏芯軸１６は、下側軸受部２５（図１〜図３参照）の下端側から軸穴２６（図８参照）に挿入されている。大径部３８が下側軸受部２５によって支持され、大径部３７が上側軸受部２４によって支持されている。小径部３９は、本体ブロック１１のカム収容室２３（図２及び図３参照）に位置して、カムストッパ１３を回動自在に支持している。
【００５３】
本体ブロック１１における軸穴２６の内径は大径部３７，３８の外径に対応している。リング溝４０に巻き掛けられたゴムリングは、下側軸受部２５における軸穴２６の内壁面に圧接している。偏芯軸１６が本体ブロック１１に対して挿抜されたり、あるいは回転された場合、ゴムリングが軸穴２６の内壁面に対して摺動する。このときの摩擦力が、偏芯軸１６の挿抜又は回転に対する抵抗となる。これは、ユーザの意に反して、偏芯軸１６が本体ブロック１１から抜け落ちたり、回転することを防止するためである。
【００５４】
［固定ブロック２８］
【００５５】
図１〜図４に示される固定ブロック２８は、本体ブロック１１と同様に、樹脂によって成形されている。図４及び図５に示されるように、固定ブロック２８は、カムストッパ１３の回動に基づいて左右方向８に移動される。前述のように、固定ブロック２８は、ホース収容室１８の内壁面と協働して油圧ホース５を挟持する。
【００５６】
固定ブロック２８は、押圧部４２（図２〜図５参照）を有している。押圧部４２は、固定ブロック２８が移動されることによって、ホース固定部１９のブロック収容室２７（図２参照）の内側でスライドされる。図１２に示されるように、押圧部４２は、上下方向７を長手方向とする概ね矩形の形状を呈している。押圧部４２は、図２及び図３に示されるカム収容室２３側からブロック収容室２７（図２参照）に挿入されている。前後方向９における押圧部４２の寸法ｃ（図１１参照）、及び上下方向７における押圧部４２の寸法ｄ（図１２参照）は、ブロック収容室２７の内径と対応している。
【００５７】
図４及び図１１に示されるように、押圧部４２の先端に、半円状の保持溝４３（本発明の溝の一例）が形成されている。保持溝４３は、上下方向７に沿って伸びている。カムストッパ１３が図３の位置から図１及び図２の位置まで回動すると、押圧部４２はブロック収容室２７の奥（ホース収容室１８側）へスライドされる。このとき、押圧部４２の先端は、ブロック収容室２７を抜けてホース収容室１８の内側の空間まで進出する（図４の状態）。ホース収容室１８に油圧ホース５が挿入されている場合、油圧ホース５は、保持溝４３の内側に保持された状態で、押圧部４２とホース収容室１８の内壁面との間に挟み込まれる。
【００５８】
図３に示されるように、押圧部４２と反対側には、２つのガイド部４４が前後方向９に対向して設けられている。ガイド部４４の間には小径部３９が保持されている。図１１に示されるように、２つのガイド部４４が連続する周縁４６は、偏芯軸１６の小径部３９に沿うように半円状に形成されている。図１２に示されるように、上下方向７におけるガイド部４４の寸法ｅは、押圧部４２の寸法ｄよりも短い。ガイド部４４は押圧部４２の中央に位置している。図１２に示されるように、ガイド部４４の両外側に、押圧部４２の背面である当接面４７が露出されている。当接面４７は、カムストッパ１３の回動時にカム４８の外縁４９（共に図２，図３参照）と当接して、押圧される面である。
【００５９】
図１〜図３に示されるように、ガイド部４４から前後方向９にバネ受け５０が設けられている。バネ受け５０とホース固定部１９との間に付勢バネ５１が介設されている。これにより、固定ブロック２８は、偏芯軸１６（図３参照）側へ弾性的に付勢されている。
【００６０】
［カムストッパ１３］
【００６１】
図１〜図３に示されるカムストッパ１３は、本体ブロック１１と同様に、樹脂によって成形されている。カムストッパ１３の一端側に、カム４８が設けられている。
【００６２】
図１３に示されるように、カム４８は、カムストッパ１３の片面側へ盛り上がった形状を呈する。カム４８の外縁４９は湾曲されており、平面視において概ね円弧状である。カム４８に円形の軸穴５２が開けられている。軸穴５２は、カム４８を上下方向７に貫通している。図３に示されるように、偏芯軸１６は、この軸穴５２に挿入されて、カムストッパ１３を回動自在に支持している。
【００６３】
カムストッパ１３が偏芯軸１６を中心に回動するために、軸穴５２の内径ｆ（図１３参照）が小径部の外径よりも大きく設定されている。本実施形態では、軸穴５２の内径ｆは、偏芯軸１６における大径部３７，３８の外径ａ（図１０参照）より大きい。これは、圧入治具１０の製造時に、軸穴５２に偏芯軸１６を挿入するためである。
【００６４】
図１３に示されるように、軸穴５２の中心Ｎ３からカム４８の外縁４９までの距離は、周方向に沿って変化している。詳細には、カム４８の外縁４９のうち、左右方向８の内側の位置ほど軸穴５２の中心Ｎ３との距離が長くなっている。
【００６５】
図３に示されるように、上下方向７におけるカムストッパ１３の寸法は、本体ブロック１１におけるカム収容室２３の幅に対応している。２つのカム４８は、上側軸受部２４と下側軸受部２５との間に挟み込まれている。つまり、上側軸受部２４及び下側軸受部２５によって、カムストッパ１３の上下方向７への移動が制止されている。
【００６６】
図３に示されるように、２つのカム４８は、上下方向７に空間を隔てて設けられている。また、カム４８が把手５５によって連結されている。これにより、カムストッパ１３は、全体としてカム４８を回転させるためのレバーとして構成されている。２つのカム４８の間に固定ブロック２８のガイド部４４が配設されている。また、２つのカム４８の外縁４９は、それぞれ押圧部４２における２つの当接面４７（図１１及び図１２参照）と対向している。付勢バネ５１によって固定ブロック２８が偏芯軸１６側へ付勢されているため、当接面４７がカム４８の外縁４９に当接して、固定ブロック２８の偏芯軸１６側へ移動が制止されている。すなわちカム４８によって、固定ブロック２８が左右方向８に位置決めされている。
【００６７】
２つのカム４８の間の距離は、上下方向７おけるガイド部４４の寸法ｅ（図１９参照）に対応している。つまり、２つのカム４８によって、固定ブロック２８の上下方向７への移動が制止されている。
【００６８】
［カムストッパ１３の回動］
【００６９】
ユーザによってカムストッパ１３が回動されると、カム４８の外縁４９が押圧部４２の当接面４７を摺動する。これにより、当接面４７と当接するカム４８の外縁４９の位置が変化し、固定ブロック２８が位置決めされる位置が変化する。たとえば、カムストッパ１３が、図１の位置から図２の位置まで回動されると、固定ブロック２８が位置決めされる位置が偏芯軸１６側にずれる。すなわち、固定ブロック２８は付勢バネ５１の付勢力によって偏芯軸１６側へ移動する。これに伴い、図４に示される押圧部４２の先端は、ホース収容室１８からブロック収容室２７（図２参照）の内側まで引っ込む。そして、図５に示されるように、押圧部４２は、本体ブロック１１の下側から視認できなくなる。また、カムストッパ１３が、図２の位置から図１の位置まで回動されたとき、固定ブロック２８は、上述された向きとは逆向きへ移動する。そして、ホース収容室１８の内側へ進行する押圧部４２が、油圧ホース５をホース収容室１８の内壁面に押し付けて、挟み込むように固定する。
【００７０】
［偏芯軸１６の回転］
【００７１】
ユーザによって偏芯軸１６が回転されると、偏芯軸１６は、大径部３７，３８の中心Ｎ１（図１０参照）を中心に回動する。上述したように、小径部３９の中心Ｎ２が大径部３７，３８の中心Ｎ１に対してずれている。そのため、偏芯軸１６の回転位相に応じて、小径部３９の中心Ｎ２が移動する。詳細には、小径部３９の中心Ｎ２は、大径部３７，３８の中心Ｎ１を中心とした円が描く軌道に沿って移動する。
【００７２】
小径部３９の中心Ｎ２がホース収容室１８側に位置するほど、小径部３９に支持されたカムストッパ１３は、ホース収容室１８側に位置することになる。それに伴い、固定ブロック２８もよりホース収容室１８側に位置決めされる。つまり、押圧部４２の先端の位置がより油圧ホース５側となる。たとえば、図４（Ｂ）よりも図４（Ａ）の方が、押圧部４２の先端がホース収容室１８側に位置している。これは、偏芯軸１６の回転位相の違いによって、図４（Ｂ）よりも図４（Ａ）の方が、小径部３９の中心Ｎ２がよりホース収容室１８側に位置しているためである。
【００７３】
［実施形態の作用効果］
【００７４】
本実施形態に係るホース挟持機構５３によれば、ユーザは、カムストッパ１３を回動させることで、油圧ホース５を容易にホース収容室に固定することができる。また、ユーザは、ドライバ溝４１に工具を挿入して偏芯軸１６を回転させ、油圧ホース５の締め代を調整することで、固定ブロック２８による油圧ホース５の挟持力を容易に調整することができる。すなわち、ホース挟持機構５３は、外径の異なる多様な油圧ホース５に対応することができる。
【００７５】
本実施形態では、２つのガイド部４４が偏芯軸１６の中央部３９に対して摺動するので、固定ブロック２８の移動が偏芯軸１６に沿ってガイドされる。しかも、偏芯軸１６によって固定ブロック２８のぐらつきが防止される。
【００７６】
また、一対のカム４８が把手５５によって連結されてレバーが構成されているため、ユーザはカムストッパ１３を容易に回転させることができる。つまり、油圧ホース５をホース挟持機構５３によって挟持させ、又は挟持を解除することが容易となる。
【００７７】
さらに、偏芯軸１６の端面１７にドライバ溝４１が形成されているため、ユーザは、工具によって偏芯軸１６を容易に回転させることができる。
【００７８】
加えて、大径部３８の外周面に巻き掛けられたゴムリングによって、本体ブロック１１と偏芯軸１６との間に回転抵抗が生じる。これにより、偏芯軸１６がユーザの意に反して回転し、油圧ホース５に対する挟持力が変化することが防止される。
【００７９】
［変形例］
【００８０】
上述された実施形態において、押込レバー１２の形状は必ずしもＬ字状である必要はなく、たとえば、屈曲されていない棒状であってもよい。
【００８１】
また、保持器１５がスライドベース２９に沿ってスライドされる構造は、上述された実施形態のものと異なっていてもよい。たとえば、スライドベース２９には上下方向７に沿った溝が形成されており、スライドベース２９の溝に嵌合する突起が保持器１５に形成されていてもよい。そして、保持器１５は、突起がスライドベース２９の溝に嵌合した状態で上下方向７にスライドされてもよい。
【００８２】
また、保持器１５は必ずしも必須の構成ではなく、本体ブロック１１は、コネクタ保持部２１にコネクタ４を直接セットできるように構成されていてもよい。また、押込レバー１２がコネクタ４を直接押圧して、コネクタ４を油圧ホース５の開口端に圧入してもよい。
【００８３】
また、上述された実施形態では、偏芯軸１６における大径部３７，３８の外径ａ（図１０参照）が、小径部３９の外径ｂよりも大きく設定されていたが、この構成は必須のものではない。つまり、長手方向一端側の大径部３７の外径は、小径部３９の外径ｂより小さくてもよい。また、カムストッパ１３における軸穴５２の内径ｆ（図１３参照）は、小径部３９の外径ｂと対応していてもよい。この場合、上述された実施形態と比較して、軸穴５２の内周面と小径部３９の外周面との隙間が小さくなる。すなわち、偏芯軸１６に対するカムストッパ１３のぐらつきをさらに少なくすることができる。また、大径部３７の外径は、軸穴５２の内径ｆより小さいため、このような変形例においても、保持器１５の製造時に偏芯軸１６を軸穴５２に挿入できる。
【００８４】
また、本発明の技術思想は、上述された実施形態のように、本体ブロック１１と押込レバー１２とが連結された構造に限定されるものではない。たとえば、本発明は、ペンチやはさみに代表されるように、２つの略棒状の部材がヒンジを介してＸ字状に連結された構造によって実現されてもよい。この場合、ヒンジを介して握り部と反対の作用部に保持器１５及びホース収容室１８に相当する構造が設けられる。ここで、握り部とは、２つの略棒状の部材が握りこまれる部位であり、作用部とは、握り部が握り込まれたときに２つの略棒状の部材が近接する作用点となる部位である。
【００８５】
作用部のうち、２つの略棒状の部材の一方に保持器１５に相当する構造が設けられ、他方にホース収容室１８に相当する構造が設けられる。ユーザが握り部を握り込むと、作用部において、２つの略棒状の部材が近接し、油圧ホース５の開口端にコネクタ４が圧入される。あるいは、２つの略棒状の部材は、Ｘ字状ではなくＶ字状に連結されていてもよい。この場合、ヒンジと握り部との間に作用部が位置することになるが、上述した例と同様の構造を実現できることは言うまでもない。
【符号の説明】
【００８６】
４・・・コネクタ
５・・・油圧ホース
１０・・・圧入治具
１１・・・本体ブロック
１５・・・保持器
１６・・・偏芯軸
１８・・・ホース収容室
１９・・・ホース固定部
２１・・・コネクタ保持部
２３・・カム収容室
２８・・・固定ブロック
３７，３８・・・両端部
３９・・・中央部
４８・・・カム
４９・・・外縁
５３・・・ホース挟持機構
５４・・・隔壁
５５・・・把手
【図１】
2014039987.tif 000003
【図２】
2014039987.tif 000004
【図３】
2014039987.tif 000005
【図４】
2014039987.tif 000006
【図５】
2014039987.tif 000007
【図６】
2014039987.tif 000008
【図７】
2014039987.tif 000009
【図８】
2014039987.tif 000010
【図９】
2014039987.tif 000011
【図１０】
2014039987.tif 000012
【図１１】
2014039987.tif 000013
【図１２】
2014039987.tif 000014
【図１３】
2014039987.tif 000015